(57)【特許請求の範囲】
【請求項１】
照明器具に電力を供給する電源装置であって、
前記電力を供給するための電源回路を内部に収容するケースと、前記ケースを被固定部位に固定するための１つ又は複数の固定部材とを備え、
前記ケースは、複数の面のうちで任意の辺を挟んで隣り合う第１面と第２面の形状及び面積が相違する多面体形状に形成され、前記第１面及び前記第２面に、前記固定部材が着脱可能に取り付けられる取付部を有し、
前記取付部は、１つ又は複数のねじ孔で構成され、
前記ケースは、前記第１面及び前記第２面に、１条又は複数条の突起が設けられ、前記取付部は、前記突起に設けられることを特徴とする電源装置。
【発明の詳細な説明】
【技術分野】
【０００１】
本発明は、電源装置に関し、より詳細には、照明器具に給電するための電源装置に関する。
【背景技術】
【０００２】
従来例として、特許文献１に記載されている電源ユニットを例示する。特許文献１記載の電源ユニットは、複数の電源装置（電源回路）と、複数の電源装置の出力端に一端が電気的に接続される複数の電線と、複数の電源装置及び複数の電線の一部を収納するケースとを有する。複数の電源装置は、商用の交流電力系統から供給される交流電力を直流電力に変換する電源回路で構成され、変換した直流電力を照明器具に供給するように構成される。照明器具は、例えば、発光ダイオード（ＬＥＤ）を光源とする投光器であり、電源ユニット（の電源装置）から供給される直流電力でＬＥＤを発光（点灯）するように構成される。
【０００３】
ケースは、前後の両端が開口した角筒状のケース本体と、ケース本体の開口を閉塞する２つの蓋部とを有する。複数の電源回路は、ケース本体内に収容される。ケース本体は、下面における前後両端に台座がそれぞれ突設されている。各台座には、矩形板状の固定金具がそれぞれねじ止めされる。各固定金具は、それぞれケース本体の両端から前後方向に突出しており、その突出した部分にねじ挿通孔が設けられている。そして、ケース（電源ユニット）は、これらのねじ挿通孔に挿通されるねじにより、被固定部位（照明台など）にねじ止めして固定される。
【先行技術文献】
【特許文献】
【０００４】
【特許文献１】特開２０１４−１８３０３３号公報
【発明の概要】
【発明が解決しようとする課題】
【０００５】
ところで、特許文献１記載の電源ユニットにおけるケースは、ケース本体の４つの側面のうちの１つの側面にのみ固定金具が取り付けられ、その他の３つの側面には固定金具が取り付けられない。つまり、従来のケースは、固定金具が１つの側面にのみ取り付けられるので、被固定部位に固定される際に、ケース本体の向き（姿勢）を変えることができなかった。
【０００６】
本発明は、上記課題に鑑みてなされており、被固定部位に固定される際の向きを容易に変更可能とすることを目的とする。
【課題を解決するための手段】
【０００７】
本発明の電源装置は、照明器具に電力を供給する電源装置であって、前記電力を供給するための電源回路を内部に収容するケースと、前記ケースを被固定部位に固定するための１つ又は複数の固定部材とを備え、前記ケースは、複数の面のうちで任意の辺を挟んで隣り合う第１面と第２面の形状及び面積が相違する多面体形状に形成され、前記第１面及び前記第２面に、前記固定部材が着脱可能に取り付けられる取付部を有し、前記取付部は、１つ又は複数のねじ孔で構成され、前記ケースは、前記第１面及び前記第２面に、１条又は複数条の突起が設けられ、前記取付部は、前記突起に設けられることを特徴とする。
【発明の効果】
【０００８】
本発明の電源装置は、被固定部位に固定される際の向きを容易に変更可能になるという効果がある。
【図面の簡単な説明】
【０００９】
【図１】本実施形態に係る電源装置の斜視図である。
【図２】本実施形態に係る電源装置の正面図である。
【図３】本実施形態に係る電源装置の右側面図である。
【図４】本実施形態に係る電源装置の平面図である。
【図５】図５Ａは本実施形態に係る電源装置の固定部材を外した状態の正面図、図５Ｂは本実施形態に係る電源装置の固定部材を外した状態の右側面図である。
【図６】本実施形態に係る電源装置の右側面図である。
【図７】図７Ａは本実施形態に係る電源装置が第１面で支柱に取り付けられた状態の正面図、図７Ｂは本実施形態に係る電源装置が第２面で支柱に取り付けられた状態の正面図である。
【図８】本実施形態に係る電源装置における電源回路のブロック図である。
【図９】本実施形態に係る電源装置から電力が供給される照明器具を示し、図９Ａは前方から見た斜視図、図９Ｂは後方から見た斜視図である。
【発明を実施するための形態】
【００１０】
以下、本実施形態に係る電源装置１について図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
本実施形態に係る電源装置１は、図１に示すように、ケース２と、複数（例えば、２つ）の固定部材３、４とを備える。ケース２は、照明器具８に電力を供給するための電源回路１０を内部に収容するように構成される。
【００１２】
照明器具８は、例えば、サッカースタジアムや各種の競技場、学校の運動場などを照明（投光照明）する用途に用いられる投光器である。照明器具８は、図９Ａ及び図９Ｂに示すように、４つの光源ユニット８０と、これら４つの光源ユニット８０を支持する器具本体８１とを備える。器具本体８１は、アルミ又はアルミ合金によって矩形の枠状に形成される。４つの光源ユニット８０は、器具本体８１の後端に、上下方向及び左右方向に並べて支持される。また、器具本体８１の前端に、２枚のパネル８２が上下方向に並べて取り付けられる。つまり、上段の２つの光源ユニット８０から放射される光は、上段のパネル８２を透過して前方へ照射され、下段の２つの光源ユニット８０から放射される光は、下段のパネル８２を透過して前方へ照射される。
【００１３】
器具本体８１に支持された４つの光源ユニット８０は、保護カバー８４で被われる。保護カバー８４は、前方に開放された箱状に形成される。また、保護カバー８４には、放熱用の通気孔（スリット）８４０が全面に形成される。保護カバー８４は、４つの光源ユニット８０を内部に収容するようにして器具本体８１の後端に取り付けられる。
【００１４】
保護カバー８４の後面に結線ボックス８５が取り付けられる。結線ボックス８５は、内部に中継用の端子台を収容する。４つの光源ユニット８０から導出される電線が結線ボックス８５内に引き込まれ、かつ、端子台に電気的に接続される。
【００１５】
器具本体８１は、上下方向に回転可能に、支持部材８３に支持される。支持部材８３は、２本のボルトによって照明台（照明塔）などに固定される。
【００１６】
電源回路１０は、図８に示すように、力率改善回路１００、スイッチング電源回路１０１、制御回路１０２などで構成される。力率改善回路１００は、昇圧チョッパ回路で構成され、電力系統１０３から供給される交流電力の力率を改善するために設けられる。スイッチング電源回路１０１は、例えば、降圧チョッパ回路で構成される。制御回路１０２は、力率改善回路１００を制御し、スイッチング電源回路１０１に出力される直流電圧を定電圧化するように構成される。また、制御回路１０２は、スイッチング電源回路１０１を制御し、光源ユニット８０に供給される直流電流を定電流化するように構成される。なお、電源回路１０は、少なくとも１つの光源ユニット８０に対して１つずつ設けられることが好ましい。つまり、４つの光源ユニット８０を有する照明器具８に用いられる電源装置１は、少なくとも４つの電源回路１０を備えることが好ましい。なお、電源回路１０は、例えば、プリント配線板にそれぞれの回路を構成する電子部品やコネクタなどの機構部品が実装されて構成されることが好ましい。
【００１７】
ケース２は、図１〜図４に示すように、ケース本体２０と、２つの蓋部２１、２２とを有することが好ましい。ケース本体２０は、例えば、アルミ又はアルミ合金が押出成形されることにより、軸方向の両端が開口した角筒（四角柱）状に形成されることが好ましい。なお、以下の説明においては、ケース本体２０の４つの側面のうち、面積が大きい方の２つの側面を第１面２００と呼び、面積が小さい方の２つの側面を第２面２０１と呼ぶ。
【００１８】
第１面２００には、２条の突起２０００がそれぞれ設けられる。これらの突起２０００は、ケース本体２０の軸方向と同じ方向（ケース本体２０の長手方向）に沿って真っ直ぐに伸び、かつ、均一の幅及び高さを有するように形成されている（図２参照）。
【００１９】
また、第２面２０１にも、２条の突起２０１０がそれぞれ設けられる。これらの突起２０１０は、第２面２０１の両端（ケース本体２０の長手方向に沿った両端）に、真っ直ぐに伸び、かつ、均一の幅及び高さを有するように形成されている（図３参照）。ここで、ケース本体２０は、第１面２００の２条の突起２０００の間隔と、第２面２０１の２条の突起２０１０の間隔とを等しくするように構成されることが好ましい。
【００２０】
蓋部２１、２２は、例えば、アルミダイカストにより、概ね矩形の平板状に形成されることが好ましい。蓋部２１、２２の長い方の辺には、矩形の突部２１０、２２０がそれぞれ設けられることが好ましい（図１参照）。これらの突部２１０、２２０には、ねじ挿通孔が貫通される。一方、ケース本体２０の第１面２００に設けられた２条の突起２０００の両端に、それぞれねじ孔（雌ねじ）が設けられる。つまり、これら２つの蓋部２１、２２は、ケース本体２０の軸方向の両端にそれぞれ被せられ、４つの突部２１０、２２０のねじ挿通孔に挿通される固定ねじ２３が突部２１０、２２０のねじ孔にねじ込まれてケース本体２０に固定される（図４参照）。ただし、２つの蓋部２１、２２とケース本体２０の端部との間に防水パッキンがそれぞれ挟み込まれ、ケース本体２０内への雨水の浸入が防止されることが好ましい。また、片方の蓋部２２は、複数のケーブル挿通孔が貫通している。そして、これらのケーブル挿通孔に電源ケーブルがそれぞれ挿通され、ケーブルグランドなどの止め具によって、それぞれの電源ケーブルが蓋部２２に固定される。
【００２１】
一方の固定部材（以下、第１固定部材と呼ぶ）３並びに他方の固定部材（以下、第２固定部材と呼ぶ）４は、それぞれ亜鉛めっき鋼板やステンレス鋼板などの金属板で構成されることが好ましい。第１固定部材３は、図１〜図４に示すように、第１固定片３０、一対の第１取付片３１、一対の第１連結片３２を有する。第１固定片３０は、概ね矩形の平板状に形成される。第１固定片３０は、第１長孔３３と第１切り溝３４を有する。第１長孔３３は、固定用のねじのねじ部の径よりも幅寸法が大きく、かつ、当該ねじの頭部の径よりも幅寸法が小さく形成される。第１切り溝３４は、第１固定片３０の１つの角から第１長孔３３にかけて、第１固定片３０が切り欠かれるようにして形成される。つまり、第１固定片３０は、被固定部位に仮締めされた固定用のねじのねじ部を、第１切り溝３４を通して第１長孔３３に挿入可能に構成されている。一対の第１取付片３１は、長手方向の寸法が第１固定片３０の長手方向の寸法よりも短い矩形の平板状に形成される。ただし、第１取付片３１は、４つの頂点のうちの隣り合う２つの頂点（角）が面取り加工されていることが好ましい。これらの第１取付片３１は、第１連結片３２を介して、第１固定片３０の長手方向に沿った両端に連結されている。また、第１取付片３１は、長手方向の両端に、円形の第１ねじ挿通孔がそれぞれ形成されている。
【００２２】
第２固定部材４は、図１〜図３に示すように、第２固定片４０、一対の第２取付片４１、一対の第２連結片４２を有する。第２固定片４０は、矩形の平板状に形成される。第２固定片４０は、長手方向の一端側に第２長孔４３が設けられる。ただし、第２長孔４３は、長軸方向を第２固定片４０の短手方向に一致させるように形成される。一対の第２取付片４１は、長手方向の寸法が第２固定片４０の長手方向の寸法よりも短い矩形の平板状に形成される。ただし、第２取付片４１は、４つの頂点のうちの隣り合う２つの頂点（角）が面取り加工されていることが好ましい。これらの第２取付片４１は、第２連結片４２を介して、第２固定片４０の長手方向に沿った両端に連結されている。また、第２取付片４１は、長手方向の両端に、円形の第２ねじ挿通孔がそれぞれ形成されている。
【００２３】
さらに、本実施形態に係る電源装置１は、落下防止金具５を備えることが好ましい（図１及び図２参照）。落下防止金具５は、亜鉛めっき鋼板やステンレス鋼板などの金属板によってＨ字状に形成されることが好ましい。落下防止金具５の４つの端部には、ねじ挿通孔がそれぞれ形成されている。
【００２４】
一方、ケース本体２０の２つの第１面２００及び第２面２０１のうちのそれぞれ１つの第１面２００及び第２面２０１には、２つの固定部材３、４及び落下防止金具５が着脱可能に取り付けられる取付部２３、２４が設けられている。これらの取付部２３、２４は、何れも突起２０００、２０１０に設けられるねじ孔で構成される（図５Ａ及び図５Ｂ参照）。第１面２００の取付部２３（以下、第１取付部と呼ぶ）は、２条の突起２０００のそれぞれに一列に並ぶように設けられる（図５Ａ参照）。また、第２面２０１の取付部２４（以下、第２取付部と呼ぶ）は、２条の突起２０１０のそれぞれに一列に並ぶように設けられる（図５Ｂ参照）。
【００２５】
図５Ａにおいて、上から１番目と２番目の２つの第１取付部２３が第１固定部材３用の取付部となり、下から１番目と２番目の２つの第１取付部２３が第２固定部材４用の取付部となる。また、図５Ａにおいて、上から３番目と４番目の２つの第１取付部２３が落下防止金具５用の取付部となる。同じく、図５Ｂにおいて、上から１番目と２番目の２つの第２取付部２４が第１固定部材３用の取付部となり、下から１番目と２番目の２つの第２取付部２４が第２固定部材４用の取付部となる。また、図５Ｂにおいて、上から３番目と４番目の２つの第２取付部２４が落下防止金具５用の取付部となる。
【００２６】
すなわち、第１固定部材３は、一対の第１取付片３１の２つの第１ねじ挿通孔に挿通されるねじ３５が２条の突起２０００の第１固定部材３用の２つの第１取付部２３にそれぞれねじ込まれることでケース本体２０の第１面２００に取り付けられる（図２参照）。ただし、第１固定部材３は、第１長孔３３を含む第１固定片３０の端部をケース本体２０の外に突出させる向きでケース本体２０に取り付けられる（図１及び図２参照）。また、第２固定部材４は、一対の第２取付片４１の２つの第２ねじ挿通孔に挿通されるねじ４５が２条の突起２０００の第２固定部材４用の２つの第１取付部２３にそれぞれねじ込まれることでケース本体２０の第１面２００に取り付けられる（図２参照）。ただし、第２固定部材４は、第２長孔４３を含む第２固定片４０の端部をケース本体２０の外に突出させる向きでケース本体２０に取り付けられる（図１及び図２参照）。さらに、落下防止金具５は、４つの端部に設けられるねじ挿通孔に挿通されるねじ５３が２条の突起２０００の落下防止金具５用の２つの第１取付部２３にそれぞれねじ込まれることでケース本体２０の第１面２００に取り付けられる（図２参照）。
【００２７】
あるいは、第１固定部材３は、一対の第１取付片３１の２つの第１ねじ挿通孔に挿通されるねじ３５が２条の突起２０１０の第１固定部材３用の２つの第２取付部２４にそれぞれねじ込まれることでケース本体２０の第２面２０１に取り付けられる（図６参照）。ただし、第１固定部材３は、第１長孔３３を含む第１固定片３０の端部をケース本体２０の外に突出させる向きでケース本体２０に取り付けられる。また、第２固定部材４は、一対の第２取付片４１の２つの第２ねじ挿通孔に挿通されるねじ４５が２条の突起２０１０の第２固定部材４用の２つの第２取付部２４にそれぞれねじ込まれることでケース本体２０の第２面２０１に取り付けられる（図６参照）。ただし、第２固定部材４は、第２長孔４３を含む第２固定片４０の端部をケース本体２０の外に突出させる向きでケース本体２０に取り付けられる。さらに、落下防止金具５は、４つの端部に設けられるねじ挿通孔に挿通されるねじ５３が２条の突起２０１０の落下防止金具５用の２つの第２取付部２４にそれぞれねじ込まれることでケース本体２０の第２面２０１に取り付けられる（図６参照）。つまり、第１固定部材３及び第２固定部材４は、ケース本体２０の第１面２００の第１取付部２３と、第２面２０１の第２取付部２４とのいずれにも、着脱可能に取り付けられる。
【００２８】
例えば、本実施形態に係る電源装置１が照明塔に設置される場合を想定する。照明塔は、図７Ａ及び図７Ｂに示すように、鉛直方向に設置される複数の支柱９０と、水平方向に設置される足場板９１とを有する。複数の支柱９０は、ほぼ等間隔に設置される。そして、本実施形態に係る電源装置１は、これら複数の支柱９０にそれぞれ１台ずつ固定される。すなわち、本実施形態に係る電源装置１は、ケース本体２０に取り付けられた第１固定部材３の第１長孔３３に挿通される固定用のねじ、並びに、第２固定部材４の第２長孔４３に挿通される固定用のねじが支柱９０のねじ孔にねじ込まれて支柱９０に固定される。
【００２９】
ここで、隣り合う支柱９０の間隔が、ケース２の第１面２００の横幅（短手方向の幅）よりも短く、かつ、ケース２の第２面２０１の横幅（短手方向の幅）よりも長いと仮定する。このとき、本実施形態に係る電源装置１は、第１面２００の第１取付部２３に第１固定部材３及び第２固定部材４が取り付けられた場合、図７Ａに示すように、隣り合う支柱９０に対して１本おきに固定されることが好ましい。一方、第２面２０１の第２取付部２４に第１固定部材３及び第２固定部材４が取り付けられ場合、図７Ｂに示すように、本実施形態に係る電源装置１は、隣り合う支柱９０にそれぞれ固定されることが好ましい。つまり、本実施形態に係る電源装置１は、第１固定部材３及び第２固定部材４が第１面２００の第１取付部２３と第２面２０１の第２取付部２４の何れにも取付可能に構成されている。ゆえに、本実施形態に係る電源装置１は、設置台数に対して設置スペースに余裕が無い場合、図７Ｂに示すようにケース本体２０の第２面２０１の第２取付部２４に第１固定部材３及び第２固定部材４が取り付けられて支柱９０に固定されることが好ましい。一方、設置台数に対して設置スペースに余裕がある場合、本実施形態に係る電源装置１は、図７Ａに示すようにケース本体２０の第１面２００の第１取付部２３に第１固定部材３及び第２固定部材４が取り付けられて支柱９０に固定されることが好ましい。また、本実施形態に係る電源装置１は、図７Ａに示す取付の向きと、図７Ｂに示す取付の向きとで、風圧に対する受圧面積が異なる。したがって、本実施形態に係る電源装置１は、例えば、照明塔の構造との関係において、任意の方向に対するトータルの受圧面積を小さくする場合、第２面２０１の法線方向をその方向に近付ける向きで支柱９０に固定されることが好ましい。なお、落下防止金具５は、一端が支柱９０に結ばれた落下防止ワイヤの他端が結ばれる。つまり、落下防止金具５と支柱９０が落下防止ワイヤを介して結ばれているので、第１固定部材３及び第２固定部材４が支柱９０から外れたとしても、電源装置１が照明塔から落下することはない。
【００３０】
上述のように本実施形態に係る電源装置１は、照明器具８に電力を供給する電源装置である。本実施形態に係る電源装置１は、照明器具８に電力を供給するための電源回路１０を内部に収容するケース２と、ケース２を被固定部位（支柱９０）に固定するための１つ又は複数の固定部材（第１固定部材３及び体２固定部材４）とを備える。ケース２は、複数の面のうちで任意の辺を挟んで隣り合う第１面２００と第２面２０１の形状及び面積が相違する多面体形状に形成される。第１面２００及び第２面２０１に、固定部材（第１固定部材３及び体２固定部材４）が着脱可能に取り付けられる取付部（第１取付部２３及び第２取付部２４）を有する。
【００３１】
本実施形態に係る電源装置１は上述のように構成されるので、固定部材を取り付ける取付部に応じて、被固定部位（例えば、支柱９０）に固定される際の向きを容易に変更することができる。
【００３２】
また、本実施形態に係る電源装置１において、取付部（第１取付部２３及び第２取付部２４）は、１つ又は複数のねじ孔で構成されることが好ましい。
【００３３】
本実施形態に係る電源装置１が上述のように構成されれば、ねじを用いて固定部材を容易に取付部に取り付け、かつ、取り外すことができる。
【００３４】
さらに、本実施形態に係る電源装置１において、ケース２は、第１面２００及び第２面２０１に、１条又は複数条の突起２０００、２０１０が設けられることが好ましい。取付部（第１取付部２３及び第２取付部２４）は、突起２０００、２０１０に設けられることが好ましい。
【００３５】
本実施形態に係る電源装置１が上述のように構成されれば、第１面２００及び第２面２０１と被固定部位（例えば、支柱９０）との間に隙間が形成されるので、隙間が形成されない場合と比較して、ケース２の放熱性の低下が抑制される。
【符号の説明】
【００３６】
１  電源装置
２  ケース
３  第１固定部材（固定部材）
４  第２固定部材（固定部材）
８  照明器具
１０  電源回路
２３  第１取付部（取付部）
２４  第２取付部（取付部）
９０  支柱（被固定部位）
２００  第１面
２０１  第２面
２０００  突起
２０１０  突起
【図１】
0006562348.tif 000002
【図２】
0006562348.tif 000003
【図３】
0006562348.tif 000004
【図４】
0006562348.tif 000005
【図５】
0006562348.tif 000006
【図６】
0006562348.tif 000007
【図７】
0006562348.tif 000008
【図８】
0006562348.tif 000009
【図９】
0006562348.tif 000010